(57)【特許請求の範囲】
【請求項１】
立設される複数の支柱と、その支柱の上端間に横方向に渡される長尺状の手摺本体と、その支柱の側部間に渡された状態で立設される薄平板パネル状の横部材とを備えた手摺に、パラボラアンテナを取り付けるための取付金具であって、
その取付金具は、前記支柱の周囲のうち反横部材側を囲む支柱側固定部材と、前記横部材の反支柱側に位置して、支柱側固定部材に締結される横部材側固定部材とを備え、
支柱側固定部材は、横部材の長手方向に沿うとともに支柱の両側面側に位置して、横部材側固定部材に締結する二個の締結部と、その締結部間に渡されて、支柱の反横部材側の周囲を囲む周囲部とを備え、前記横部材の面方向下側に向かって延設されるとともに、それ自身を横部材の上端面に引っかけるために横部材側に向かって突出する支柱側係止片を備え、
横部材側固定部材は、前記横部材の面方向下側に向かって延設されるとともに、それ自身を横部材の上端面に引っかけるために横部材側に向かって突出する横部材側係止片を備え、
支柱側固定部材及び横部材側固定部材は、両部材の間に支柱及び横部材を挟み込むことにより、一体として固定可能に形成されていることを特徴とするアンテナ取付金具。
【請求項２】
支柱側固定部材の周囲部の形状は、支柱表面の形状と整合するように予め形成されていることを特徴とする請求項１記載のアンテナ取付金具。
【請求項３】
支柱側固定部材の周囲部は、任意の支柱表面の形状と整合させるために任意の支柱の表面形状に沿って変形可能な網目状に形成されていることを特徴とする請求項１記載のアンテナ取付金具。
【請求項４】
支柱側固定部材の締結部は、支柱側固定部材と横部材側固定部材とを締結するための締結部材が外方に向かって突出した状態のまま露出しないようにこの締結部材を覆う締結部材保護カバーを備えたことを特徴とする請求項１、請求項２または請求項３記載のアンテナ取付金具。
【発明の詳細な説明】
【０００１】
【発明の属する技術分野】
この発明はバルコニー等の手摺にパラボラアンテナ等を取り付けるための取付金具に関する。
【０００２】
【先行技術】
近年、衛星放送をテレビで見るためのパラボラアンテナをバルコニー等に取り付ける場合が多くなってきている。
図５及び図６は、従来のアンテナ取付金具であって、図５は、アンテナを取り付けた状態のアンテナ取付金具の横断面図、図６は、アンテナを取り付けた状態のアンテナ取付金具の概略斜視図をそれぞれ示すものである。
【０００３】
従来、パラボラアンテナ120をバルコニー等に取り付ける場合には、手摺本体180を支持するためのバルコニーの周縁から立設する支柱190にアンテナ取付金具110を用いて固定していた。
従来のアンテナ取付金具110は、パラボラアンテナ120を支持するとともに下方に向かって延びるアンテナ支持パイプ130を挟み込んで支柱190に固定するものである。具体的には、アンテナ取付金具110は、支柱190の室内側に位置する平板状の室内側支柱挟み込み片140と、支柱190の室外側に位置する平板状の室外側支柱挟み込み片150とを備えている。そして、この室内側支柱挟み込み片140と、室外側支柱挟み込み片150とは、それらの間に支柱190を挟み込んだ状態で、両側端にボルト170及びナット171により締結されている。
【０００４】
前記室外側支柱挟み込み片150は、アンテナ支持パイプ130を支持するために室外側に向かって突出する突出部160を備えている。この突出部160の室外側の先端には、アンテナ支持パイプ130の外周表面を挟み込むとともに、ネジ162によりアンテナ支持パイプ130を固定可能な横断面形状が略ハ字状のパイプ挟み込み片161が形成されている。
【０００５】
【発明が解決しようとする課題】
しかし、上記した従来のアンテナ取付金具110は、立設する支柱190のみをボルト170及びナット171等の締結部材により挟み込んで固定するため、互いに当接して接触する表面の面積は限られた範囲となり、得られる摩擦力も限られたものとなる。このため、締結部材が少しでも緩むと支柱に沿って下方に向かってずり落ちてしまい、確実且つ強固な固定をするのに手間がかかるという第１の問題点があった。
【０００６】
さらに、近年では、バルコニーの形状として、外部から室内が見えないように目隠しをするために例えばパネル状のものを支柱190に隣接して配置する場合があるが、かかる場合に、対応することが難しいという第２の問題点があった。
さらに、従来のアンテナ取付金具110は、支柱190の途中に仮止めすることができないため、室内側支柱挟み込み片140及び室外側支柱挟み込み片150の両方の部材を支柱190の途中に位置するように片手で支持しながら、もう一方の手でボルト170及びナット171を用いて支柱190を挟み込むように締結作業をしなければならなかった。この場合、両部材を片手で支持しなければならず、しかも、ボルト170を通すボルト孔が一直線状に並ぶように調整した状態を維持する必要があり、取付作業に大変、手間と労力が必要になるという第３の問題点があった。
【０００７】
さらに、バルコニーの手摺本体180を支持する支柱190の形状は、何種類もあるが、支柱190の寸法形状が変化すると、それに合わせてボルト170の長さ等も支柱の寸法形状に適合したものを準備しなければならず、部品の種類も多くなるとともにその部品管理も煩雑となって手間であるという第４の問題点があった。
さらに、取付後も、ボルト170及びナット171が外部に突出した状態でそのまま外側に露出しているため、外観が良くないという第５の問題点があった。
【０００８】
そこで、請求項１記載の発明は、上記した従来の技術の有する第１および第２の問題点に鑑みてなされたものであり、その目的とするところは、確実且つ強固な固定を容易にすることができる上に、横部材を備えた手摺にも取り付けることができるアンテナ取付金具を提供しようとするものである。
これに加え、この請求項１記載の発明は、上記した従来の技術の有する第３の問題点に鑑みてなされたものであり、その目的とするところは、アンテナ取付金具のうち横部材側固定部材を横部材に引っかけた状態にして、かかる部材を手で保持することなく、取付作業をすることができて、現場組立施工における取付作業を容易にすることができるアンテナ取付金具を提供しようとするものである。
【０００９】
これに加え、この請求項１記載の発明は、アンテナ取付金具のうち支柱側固定部材を横部材に引っかけた状態にして、かかる部材を手で保持することなく、取付作業をすることができて、現場施工における取付作業を容易にすることができるアンテナ取付金具を提供しようとするものである。
これに加え、請求項２記載の発明は、さらに確実かつ強固な固定をすることができるアンテナ取付金具を提供しようとするものである。
【００１０】
これに加え、請求項３記載の発明は、上記した従来の技術の有する第４の問題点に鑑みてなされたものであり、その目的とするところは、種々の寸法形状の異なる支柱にも一個の部材で対応することができて、部品の種類も削減することができ、部品管理も容易にすることができるアンテナ取付金具を提供しようとするものである。
【００１１】
これに加え、請求項４記載の発明は、上記した従来の技術の有する第５の問題点に鑑みてなされたものであり、その目的とするところは、外方に向かって突出する締結部材を覆うことができて、外から見えないように隠すことができ、外観を良好なものにすることができるアンテナ取付金具を提供しようとするものである。
【００１２】
【課題を解決するための手段】
本発明は、上記した目的を達成するためのものである。
請求項１記載の発明は、立設される複数の支柱(91)と、その支柱(91)の上端間に横方向に渡される長尺状の手摺本体(93)と、その支柱(91)の側部間に渡された状態で立設される薄平板パネル状の横部材(92)とを備えた手摺(90)に、パラボラアンテナ(20)を取り付けるための取付金具であって、その取付金具は、前記支柱(91)の周囲のうち反横部材(92)側を囲む支柱側固定部材(40)と、前記横部材(92)の反支柱側に位置して、支柱側固定部材(40)に締結される横部材側固定部材(60)とを備え、支柱側固定部材(40)は、横部材(92)の長手方向に沿うとともに支柱(91)の両側面側に位置して、横部材側固定部材(60)に締結する二個の締結部(41)と、その締結部(41)間に渡されて、支柱(91)の反横部材(92)側の周囲を囲む周囲部(42)とを備え、前記横部材(92)の面方向下側に向かって延設されるとともに、それ自身を横部材(92)の上端面に引っかけるために横部材(92)側に向かって突出する支柱側係止片(50)を備え、横部材側固定部材(60)は、前記横部材(92)の面方向下側に向かって延設されるとともに、それ自身を横部材(92)の上端面に引っかけるために横部材(92)側に向かって突出する横部材側係止片(70)を備え、支柱側固定部材(40)及び横部材側固定部材(60)は、両部材の間に支柱(91)及び横部材(92)を挟み込むことにより、一体として固定可能に形成されていることを特徴とする。
【００１３】
なお、ここで、「手摺(90)」とは、例えばバルコニーの周縁から立設する支柱(91)と、この支柱(91)の上端間に横方向に渡される手摺本体(93)と、目隠しや、外観意匠のために支柱(91)間に渡される例えばパネル状の横部材(92)とをいうものである。もちろん、この横部材(92)は、パネル状のものに限定されるものではなく、支柱(91)間の横方向に渡されるものであれば、いかなる形状のものでも良く、支柱(91)間に羽板を隙間をあけて取り付けたガラリ戸状のものでも良いものである。
【００１４】
また、ここで「パラボラアンテナ(20)」とあるが、アンテナの種類は、特にこれに限定されるものでなく、空気中の電波を捕らえることができる機能を有しているものであれば、例えばフラット状のもの等、任意の形状のものでも良いものである。
本発明に係るアンテナ取付金具(10)は、支柱(91)のみではなく、横部材(92)も挟み込んでいるため、支柱(91)に隣接して、横部材(92)が形成されているような手摺(90)にも取り付けることができる。
【００１５】
そして、支柱側固定部材(40)及び横部材側固定部材(60)が、それらの間に支柱(91)及び横部材(92)を挟み込んで一体として固定されている。これにより、支柱(91)のみ、或いは横部材(92)のみをアンテナ取付金具(10)により挟み込んで固定するよりも、アンテナ取付金具(10)が手摺(90)に接触する面積を広くとることができて、より大きな摩擦力を得ることができ、確実且つ強固に固定することができる。
【００１６】
また、このアンテナ取付金具(10)は、支柱(91)と横部材(92)とを一体として挟み込むため、支柱(91)と横部材(92)との結合もより強固にすることができるものである。
【００１７】
さらに、本発明によれば、横部材側固定部材(60)は、横部材(92)側に向かって突出する横部材側係止片(70)を備えているため、アンテナ取付金具(10)を手摺(90)に取り付ける際に、横部材側係止片(70)を横部材(92)の上端面に引っかけて、横部材側固定部材(60)を横部材(92)に仮止めした状態にすることができる。これにより、アンテナ取付金具(10)の取付作業において、横部材側固定部材(60)を手で取付位置に保持した状態を維持することなく、締結作業等を実施することができ、取付作業を容易にすることができる。
【００１８】
さらにまた、本発明によれば、支柱側固定部材(40)は、横部材(92)側に向かって突出する支柱側係止片(50)を備えているため、アンテナ取付金具(10)を手摺(90)に取り付ける際に、支柱側係止片(50)を横部材(92)の上端面に引っかけて、支柱側固定部材(40)を横部材(92)に仮止めした状態にすることができる。これにより、アンテナ取付金具(10)の取付作業において、支柱側固定部材(40)を手で取付位置に保持した状態を維持することなく、締結作業等を実施することができ、取付作業を容易にすることができる。
【００１９】
請求項２記載の発明は、上記した請求項１記載の特徴点に加え、支柱側固定部材(40)の周囲部(42)の形状は、支柱(91)表面の形状と整合するように予め形成されていることを特徴とする。
【００２０】
なお、ここで「周囲部(42)の形状は、支柱(91)表面の形状と整合するように予め形成されている」とは、支柱(91)の外表面に隙間無く、密着するように周囲部(42)の内面形状と、支柱(91)の外表面形状とがほぼ一致するように形成されていることを意味するものである。例えば、支柱(91)の横断面形状が方形状であるとき、周囲部(42)の内面側の横断面形状もほぼ同一形状の方形状に形成されていることを含むものである。
【００２１】
本発明に係る支柱側固定部材(40)の周囲部(42)は、支柱(91)表面の形状と整合するように予め形成されている。このため、この周囲部(42)は、支柱(91)の表面に隙間無く密着させることができ、アンテナ取付金具(10)と手摺(90)との間の摩擦抵抗を大きくすることができ、より確実且つ強固な固定状態を得ることができる。
【００２２】
請求項３記載の発明は、上記した請求項１記載の特徴点に加え、支柱側固定部材(40)の周囲部(42)は、任意の支柱(91)表面の形状と整合させるために任意の支柱(91)の表面形状に沿って変形可能な網目状に形成されていることを特徴とする。
【００２３】
なお、ここで「変形可能な網目状に形成されている」とは、支柱(91)の外側表面に沿って追従して容易に折り曲がるようなものを含むものであって、例えば、金属細線を網の目状となるように形成したもの等が含まれる。
本発明に係るアンテナ取付金具(10)の周囲部(42)は、任意の支柱(91)の断面形状に沿って変形可能な網目状に形成されている。このため、支柱(91)の横断面形状が異なるものに対しても同一のアンテナ取付金具(10)により対応することができる。すなわち、支柱(91)の種類の違い等により、異なる断面形状のものが多数、存在しても、それらに合わせて部品の種類を増やす必要がなく、部品管理等を容易にすることができる。
【００２４】
請求項４記載の発明は、上記した請求項１、請求項２または請求項３記載の特徴点に加え、支柱側固定部材(40)の締結部(41)は、支柱側固定部材(40)と横部材側固定部材(60)とを締結するための締結部材(45)が外方に向かって突出した状態のまま露出しないようにこの締結部材(45)を覆う締結部材保護カバー(80)を備えたことを特徴とする。
【００２５】
本発明によれば、締結部材保護カバー(80)により、締結部材(45)が外方に向かって突出した状態のまま露出しないように締結部材(45)を覆っているから、締結部材(45)の外方に向かって突出した部分を外から見えないように隠すことができ、外観を良好なものにすることができる。
【００２６】
【発明の実施の形態】
以下、本発明の実施の形態を図面に基づいて、更に詳しく説明する。
図１乃至図３は、本発明の第１の実施の形態を示すものであり、図１はアンテナ取付金具の分解斜視図、図２はアンテナ取付金具を取り付けた状態の外観斜視図、図３はアンテナ取付金具を取り付けた状態のバルコニーの外観斜視図をそれぞれ示す。
【００２７】
まず、本実施の形態の構成について説明する。
本実施の形態に係るアンテナ取付金具10は、バルコニーの手摺90にパラボラアンテナ20を取り付けるためのものである。この手摺90は、バルコニーの周縁に立設する支柱91と、その支柱91の上端間の横方向に渡される長尺状の手摺本体93と、目隠しや、外観意匠のために支柱91間に渡される薄平板パネル状の横部材92とを備えている。
この横部材92は、具体的には、その内部に表裏に貫通する方形状の格子孔94が多数、形成されているものである。この横部材92の格子孔94は、特に図示しないが、建物躯体の外側に位置する側において格子状に形成される大格子孔と、その大格子孔よりも建物躯体の室内側において大格子孔が形成する一区画内に縦横二区画ずつを形成するように格子状に形成される小格子孔とから形成されているものである。
【００２８】
そして、アンテナ取付金具10は、支柱91の周囲のうち反横部材92側を囲む支柱側固定部材40と、横部材92の反支柱側に位置して、支柱側固定部材40に締結される横部材側固定部材60とを備えている。そして、その支柱側固定部材40及び横部材側固定部材60は、両部材の間に支柱91及び横部材92を挟み込むことにより、一体として固定可能に形成されている。
【００２９】
前記横部材側固定部材60は、横部材92に沿って配置される平板状の横部材側固定部材本体61と、その横部材側固定部材本体61のほぼ中央に位置して、反横部材側に向かって突出するアンテナ支持部62とを備えている。このアンテナ支持部62の先端には、アンテナ支持パイプ30を保持可能なパイプ保持部63が形成されている。このパイプ保持部63は、横断面形状が円筒状のアンテナ支持パイプ30を掴むことができるように、アンテナ支持パイプ30の直径より小さな内径からなる略六角形状に形成されている。
そして、横部材側固定部材60は、その上端に位置して、横部材側固定部材60自身を横部材92の上端面に引っかけるために横部材92側に向かって水平方向に突出する二個の横部材側係止片70を備えている。この横部材側係止片70の下面には、横部材92の上端面に接着するための粘着両面テープ100が形成されている。
【００３０】
前記支柱側固定部材40は、その上端に位置して、支柱側固定部材40自身を横部材92の上端面に引っかけるために横部材92側に向かって水平方向に突出する二個の支柱側係止片50を備えている。この支柱側係止片50の下面にも、横部材92の上端面に接着するための粘着両面テープ100が形成されている。
そして、支柱側固定部材40は、横部材92の長手方向に沿うとともに支柱91の両側面側に位置して、横部材側固定部材60に締結する二個の締結部41と、その締結部41間に渡されて、支柱91の反横部材92側の周囲を囲む周囲部42とを備えている。その周囲部42の形状は、支柱91表面の形状と整合するように予め形成されている。すなわち、周囲部42を支柱91の外表面に隙間無く密着させるために、支柱91の横断面形状が方形状に形成され、周囲部42の内面側の横断面形状もその支柱の横断面形状と整合するような横断面形状がほぼコ字状に形成されているものである。
【００３１】
そして、支柱側固定部材40の各締結部41は、その反横部材92側に位置して、締結部材45を覆う横断面形状がほぼＬ字状の締結部材保護カバー80をそれぞれ備えている。この締結部材保護カバー80は、支柱側固定部材40と横部材側固定部材60とを締結するための締結部材45が外方に向かって突出した状態のまま露出しないようにこれらの締結部材45を覆うものである。
【００３２】
次に、上記した実施の形態の作用及び効果について説明する。
本実施の形態に係るアンテナ取付金具10は、支柱91のみではなく、横部材92も挟み込んでいるため、支柱91に隣接して、パネル状の横部材92が形成されているような手摺90にも取り付けることができる。そして、支柱側固定部材40及び横部材側固定部材60が、それらの間に支柱91及び横部材92を挟み込んで一体として固定されている。これにより、支柱91のみ、或いは横部材92のみをアンテナ取付金具10により挟み込んで固定するよりも、アンテナ取付金具10が手摺90に接触する面積を広くとることができ、より大きな摩擦力を得ることができ、確実且つ強固に固定することができる。
【００３３】
また、横部材側固定部材60は、横部材92側に向かって突出する横部材側係止片70を備えている。このため、アンテナ取付金具10を手摺90に取り付ける際に、横部材側係止片70を横部材92の上端面に引っかけて、横部材側固定部材60を横部材92に仮止めした状態にすることができる。しかも、横部材側係止片70と横部材92とは、粘着両面テープ100により、簡単に外れることはない。これにより、アンテナ取付金具10の取付作業において、横部材側固定部材60を手で取付位置に保持した状態を維持することなく、締結作業等を実施することができ、取付作業を容易にすることができる。
【００３４】
また、支柱側固定部材40は、横部材92側に向かって突出する支柱側係止片50を備えている。このため、アンテナ取付金具10を手摺90に取り付ける際に、支柱側係止片50を横部材92の上端面に引っかけて、支柱側固定部材40を横部材92に仮止めした状態にすることができる。しかも、支柱側係止片50と横部材92とは、粘着両面テープ100により、簡単に外れることはない。これにより、アンテナ取付金具10の取付作業において、支柱側固定部材40を手で取付位置に保持した状態を維持することなく、締結作業等を実施することができ、取付作業を容易にすることができる。
すなわち、本実施の形態に係るアンテナ取付金具10は、支柱側固定部材40及び横部材側固定部材60の両方共、横部材92の上端面に支柱側係止片50及び横部材側係止片70により、引っかけることができて、取付作業において両手を自由に使えることができ、締結作業を容易にすることができる。
【００３５】
そして、支柱側固定部材40の周囲部42は、支柱91表面の形状と整合するように予め形成されている。このため、この周囲部42は、支柱91の表面に隙間無く密着させることができ、アンテナ取付金具10と手摺90との間の摩擦抵抗を大きくすることができ、より確実且つ強固な固定状態を得ることができる。そして、締結部材保護カバー80により、締結部材45が外方に向かって突出した状態のまま露出しないように締結部材45を覆っている。これにより、締結部材45の外方に向かって突出した部分を外側から見えないように隠すことができ、外観を良好なものにすることができる。
【００３６】
なお、本実施の形態に係るアンテナ取付金具10は、パラボラアンテナ20を取り付けるためのものであるが、取り付けるものは、特にこれに限定されることはなく、手摺90のパネル等の横部材92に取り付けるものであれば他のものでも良い。例えば、バルコニーから外側に突出する位置に洗濯物を干すことができる物干し竿を支持するための支持具を手摺90に取り付けるための取付金具として利用することもできる。
【００３７】
次に、本発明の第２の実施の形態について説明する。
図４は、本発明の第２の実施の形態であって、アンテナ取付金具の分解斜視図を示すものである。
本実施の形態は、支柱側固定部材40の周囲部42が、任意の支柱91表面の形状と整合させるために任意の支柱91の表面形状に沿って変形可能な網目状に形成されている。すなわち、第１の実施の形態における周囲部42が、方形状の支柱91と整合するような横断面形状がコ字状に形成されていたのに対して、本実施の形態では、横断面形状が任意の形状の支柱91と整合するように、金属細線を網の目状とした網目状周囲部44から形成されている。この網目状周囲部44は、支柱91の外側表面に沿って追従して容易に折り曲がるように形成されているものである。そして、支柱91の横断面形状が楕円状の楕円状支柱95であるため、網目状周囲部44もそれに追従してその横断面形状が楕円状に変形しているものである。
その他の構成は、第１の実施の形態とほぼ同一であって、同様の部品には同一の部品番号を付与して説明を省略する。
【００３８】
本実施の形態に係るアンテナ取付金具10の網目状周囲部44は、支柱91の断面形状に沿って変形可能な網目状に形成されている。このため、支柱91の横断面形状が異なるものに対しても同一のアンテナ取付金具10により対応することができる。すなわち、支柱91が、その種類の違い等により、異なる断面形状のものが多数、存在しても、それらに合わせてアンテナ取付金具10の部品の種類を増やす必要がなく、部品管理等を容易にすることができる。
【００３９】
【発明の効果】
本発明は、以上のように構成されているので、以下に記載されるような効果を奏する。
請求項１記載の発明によれば、確実且つ強固な固定を容易にすることができる上に、横部材を備えた手摺にも取り付けることができるアンテナ取付金具を提供することができる。
【００４０】
さらに、この請求項１記載の発明によれば、アンテナ取付金具のうち横部材側固定部材を横部材に引っかけた状態にして、かかる部材を手で保持することなく、取付作業をすることができて、現場組施工における取付作業を容易にすることができるアンテナ取付金具を提供することができる。
さらにまた、この請求項１記載の発明によれば、アンテナ取付金具のうち支柱側固定部材を横部材に引っかけた状態にして、かかる部材を手で保持することなく、取付作業をすることができて、現場施工における取付作業を容易にすることができるアンテナ取付金具を提供することができる。
【００４１】
請求項２記載の発明によれば、さらに確実かつ強固な固定をすることができるアンテナ取付金具を提供することができる。
請求項３記載の発明によれば、種々の寸法形状の異なる支柱にも一個の部材で対応することができて、部品の種類も削減することができ、部品管理も容易にすることができるアンテナ取付金具を提供することができる。
【００４２】
請求項４記載の発明によれば、外方に向かって突出する締結部材を覆うことができて、外から見えないように隠すことができ、外観を良好なものにすることができるアンテナ取付金具を提供することができる。
【図面の簡単な説明】
【図１】  本発明の第１の実施の形態を示すものであって、アンテナ取付金具を示す分解斜視図である。
【図２】  本発明の第１の実施の形態を示すものであって、アンテナ取付金具を取り付けた状態を示す外観斜視図である。
【図３】  本発明の第１の実施の形態を示すものであって、アンテナ取付金具を取り付けた状態のバルコニーを示す外観斜視図である。
【図４】  本発明の第２の実施の形態を示すものであって、アンテナ取付金具を示す分解斜視図である。
【図５】  従来のアンテナ取付金具であって、アンテナを取り付けた状態のアンテナ取付金具を示す横断面図である。
【図６】  従来のアンテナ取付金具であって、アンテナを取り付けた状態のアンテナ取付金具を示す概略斜視図である。
【符号の説明】
10…アンテナ取付金具、20…パラボラアンテナ、30…アンテナ支持パイプ、40…支柱側固定部材、41…締結部、42…周囲部、44…網目状周囲部、45…締結部材、50…支柱側係止片、60…横部材側固定部材、61…横部材側固定部材本体、62…アンテナ支持部、63…パイプ保持部、70…横部材側係止片、80…締結部材保護カバー、90…手摺、91…支柱、92…横部材、93…手摺本体、94…格子孔、95…楕円状支柱、100…粘着両面テープ、110…アンテナ取付金具、120…パラボラアンテナ、130…アンテナ支持パイプ、140…室内側支柱挟み込み片、150…室外側支柱挟み込み片、160…突出部、161…パイプ挟み込み片、162…ねじ、170…ボルト、171…ナット、180…手摺本体、190…支柱。
【図１】
0003775867.tif 000002
【図２】
0003775867.tif 000003
【図３】
0003775867.tif 000004
【図４】
0003775867.tif 000005
【図５】
0003775867.tif 000006
【図６】
0003775867.tif 000007